(57)【要約】【課題】排水用立て管を接続するまでの養生中等において、立て管用接続口部の開口を塞ぐことができる管継手用蓋体を提供すること。【解決手段】管継手用蓋体１１は、本体部１２、耳部１３、及び、係止突起１６を備える。本体部１２は、排水管継手５の立て管用接続口部７の開口７ａの全域を覆い可能な略平板状の金属製とする。耳部１３は、本体部１２の外周縁から延びて、接続口部７の周囲に配置される。突起１６は、耳部１３に複数配設されて、接続口部外周面７ｂの突起部７ｃの裏面側を係止可能とする。係止突起１６の少なくとも一つが、耳部１３のナット部１４に螺合する雄ねじ部１８を備えた締込用係止突起１７としている。蓋体１１は、各突起１６の先端を接続口部外周面７ｂの突起部７ｃの裏面側に配置させて、突起１７を締め付け、各突起１６の先端を接続口部外周面７ｂに圧接させることにより、接続口部７に取り付けられる。【選択図】図１
2005155009.tif 000002
【特許請求の範囲】
【請求項１】
排水管継手の上方へ延びる排水用立て管を接続可能な立て管用接続口部を、取り外し可能に塞ぐ管継手用蓋体であって、
前記接続口部の開口の全域を覆い可能な略平板状の金属製の本体部と、
該本体部の外周縁から突設されて、前記接続口部の先端部の周囲に配置される耳部と、
該耳部に配設されて、前記接続口部の先端部における外周面に設けられた突起部の裏面側を係止可能な複数の係止突起と、
を備えて構成されるとともに、
前記係止突起の少なくとも一つが、前記耳部に配設されたナット部に螺合する雄ねじ部を備えた締込用係止突起として構成されて、
前記各係止突起の先端を前記接続口部の外周面における前記突起部の裏面側に配置させるとともに、前記締込用係止突起を締め付けて、前記各係止突起の先端を前記接続口部の外周面に圧接させることにより、前記接続口部に取付可能に、構成されていることを特徴とする管継手用蓋体。
【請求項２】
前記係止突起が、前記本体部の点対称的な位置の二箇所に、配設されていることを特徴とする請求項１に記載の管継手用蓋体。
【請求項３】
前記締込用係止突起の元部側に、取付時と取外時との前記締込用係止突起の回動操作を行なう際の専用治具を嵌める操作嵌合部が配設され、
該操作嵌合部と前記専用治具との相互の嵌合形状が、相互に対応する形状のみを嵌合させて前記締込用係止突起を回動操作可能な形状として、構成されていることを特徴とする請求項１若しくは請求項２に記載の管継手用蓋体。
【発明の詳細な説明】
【技術分野】
【０００１】
本発明は、養生中等において、排水管継手の上方に延びる排水用立て管を接続可能な立て管用接続口部を、排水用立て管を接続するまで、塞ぎ可能な管継手用蓋体に関する。
【背景技術】
【０００２】
従来、多層階の集合住宅等においては、各戸からの排水を排水用立て管に集合させて排水するように、排水用立て管に接続される排水管継手に、各戸からの排水を流す横枝管を接続させていた（例えば、特許文献１参照）。
【０００３】
そして、排水管継手は、コンクリートスラブに設けた貫通孔内に配置させるとともに、下層階から延びている立て管に接続させ、貫通孔内周面と継手外周面との間に、モルタル等の充填材を充填して、貫通孔を塞ぎ、そして、養生させた後、排水管継手に、横枝管とともに上層階へ延びる立て管を接続させ、順次、下層階から順に上層階へ排水管継手や立て管を敷設していた。
【特許文献１】特開平１１−０３６３９９号公報
【発明の開示】
【発明が解決しようとする課題】
【０００４】
しかし、従来の充填材の養生中等においては、周囲を充填材で囲まれた排水管継手に対して、上方へ延びる立て管を接続できないことから、排水管継手における立て管との接続用の縦管用接続口部が、開口しており、その開口から、不用意に異物が侵入する虞れが生ずる。
【０００５】
本発明は、上述の課題を解決するものであり、排水用立て管を接続するまでの養生中等において、立て管用接続口部の開口を塞ぐことができる管継手用蓋体を提供することを目的とする。
【課題を解決するための手段】
【０００６】
本発明に係る管継手用蓋体は、排水管継手の上方へ延びる排水用立て管を接続可能な立て管用接続口部を、取り外し可能に塞ぐ管継手用蓋体であって、
立て管用接続口部の開口の全域を覆い可能な略平板状の金属製の本体部と、
本体部の外周縁から突設されて、立て管用接続口部の先端部の周囲に配置される耳部と、
耳部に配設されて、立て管用接続口部の先端部における外周面に設けられた突起部の裏面側を係止可能な複数の係止突起と、
を備えて構成されるとともに、
係止突起の少なくとも一つが、耳部に配設されたナット部に螺合する雄ねじ部を備えた締込用係止突起として構成されて、
各係止突起の先端を立て管用接続口部の外周面における突起部の裏面側に配置させるとともに、締込用係止突起を締め付けて、各係止突起の先端を立て管用接続口部の外周面に圧接させることにより、立て管用接続口部に取付可能に、構成されていることを特徴とする。
【０００７】
本発明に係る管継手用蓋体は、立て管用接続口部の開口を本体部によって塞ぎつつ、各係止突起の先端を立て管用接続口部の外周面における突起部の裏面側に配置させるとともに、締込用係止突起を締め付けて、各係止突起の先端を立て管用接続口部の外周面に圧接させれば、立て管用接続口部に取り付けることができる。そして、立て管用接続口部の開口が、金属製の本体部によって塞がれることから、重量のある異物が落下してきても、本体部が破損せず、立て管用接続口部の開口内への異物の侵入を防止することができる。
【０００８】
そして、立て管用接続口部の開口を開ける場合には、締め付け操作時に回した締込用係止突起を、逆方向に回せば、容易に、蓋体を立て管用接続口部から取り外すことができて、開口させた立て管用接続口部に対して、排水用立て管を接続させることができる。
【０００９】
したがって、本発明に係る管継手用蓋体では、養生中等において、重量のある異物が落下してきても継手内に侵入させること無く、立て管用接続口部の開口を塞ぐことができ、そして、締込用係止突起を緩めれば、容易に接続口部から取り外すことができる。
【００１０】
そして、管継手用蓋体の係止突起は、本体部の点対称的な位置の二箇所に、配設させることが望ましい。このような構成では、二箇所の係止突起がともに締込用係止突起としていても、数が少ないことから、締込用の回動操作を容易に行なうことができる。なお、これらの係止突起は、一方だけが締込用係止突起であってもよいが、ともに、締込用係止突起であっても、一方の締込用係止突起の回動操作により、蓋体の取り付けと取り外しを行なうことができることから、蓋体の取付・取外作業が煩雑となることはない。逆に、二箇所の係止突起が、ともに、締込用係止突起であれば、どちらか任意の一方の回動操作を選択できることとなって、管継手の周囲に、邪魔な配置物があっても、自由に回動操作できる締込用係止突起の操作によって、容易に対処可能となる。
【００１１】
また、締込用係止突起の元部側に、取付時と取外時との締込用係止突起の回動操作を行なう際の専用治具を嵌める操作嵌合部を配設し、操作嵌合部と専用治具との相互の嵌合形状を、相互に対応する形状のみを嵌合させて締込用係止突起を回動操作可能な形状として、構成すれば、蓋体の取付後において、所定の専用治具を使用しないと、蓋体を取り外せず、立て管用接続口部の開口内への悪戯等による異物の投入を、的確に防止できる。
【発明を実施するための最良の形態】
【００１２】
以下、本発明の一実施形態を図面に基づいて説明すると、実施形態の管継手用蓋体１１は、図１・２に示すように、排水管継手５の上方へ延びる排水用立て管４Ｕを接続可能な立て管用接続口部７の開口７ａを、取り外し可能に塞いでいる。
【００１３】
排水管継手５は、略円筒状の胴部６と、胴部６の上下に配置されて排水用立て管４（４Ｕ・４Ｄ）と接続される立て管用接続口部７・８と、胴部６の側部から突出する横枝管接続口部９・９と、を備えて構成されている。そして、上方に延びる立て管４Ｕと接続可能な立て管接続口部７は、上端に円形の開口７ａを設けた略円筒状として構成され、外周面７ｂの上端には、周方向に略９０°ずつずれて配置される突起部７ｃが、突設されている。
【００１４】
管継手用蓋体１１は、本体部１２、耳部１３、及び、係止突起１６、を備えて構成されている。本体部１２は、略円板状の鋼板製として、接続口部７の開口７ａの全域を覆い可能な形状としている。耳部１３は、本体部１２の外周縁の二箇所から下方に突設されている。これらの耳部１３・１３は、本体部１２の外周縁の点対称的な位置、すなわち、略円板状の本体部１２の中心を基準に、１８０°ずれた位置に配置されている。係止突起１６は、各耳部１３から本体部１２の中心側に突出するように配設されている。
【００１５】
そして、各係止突起１６は、実施形態の場合、各耳部１３に配設されたナット部１４に螺合する雄ねじ部１８を備えた締込用係止突起１７として、構成されている。各係止突起１７は、実施形態の場合、ヘキサゴンボルトから構成され、雄ねじ部１８の元部側、すなわち、本体部１２の中心から離れた端部側の頭部１９には、図３に示すように、略六角形に凹んだ凹部２０ａの中央に、円柱部２０ｂを突設させて構成される操作嵌合部２０が、形成され、マイナスやプラスのドライバー、あるいは、六角レンチ等の汎用の工具では、係止突起１７を回動操作できず、専用の治具２２を使用しないと、係止突起１７を回動操作できないように、構成されている。
【００１６】
なお、専用治具２２は、操作嵌合部２２に嵌合可能な頭部（嵌合部）２３を首部２４の先端に配置させて構成されるとともに、首部２４の他端には、屈曲した把持部２５が、設けられている。
【００１７】
実施形態の管継手用蓋体１１は、養生中の排水用管継手５における立て管用接続口部７の開口７ａを塞ぐように、本体部１２を配置させつつ、各係止突起１７の先端１７ａを接続口部７の外周面７ｂにおける突起部７ｃの裏面側に配置させるとともに、少なくとも一方の締込用係止突起１７を締め付けて、各係止突起１７の先端１７ａを接続口部７の外周面７ａに圧接させれば、接続口部７に取り付けることができる。
【００１８】
この蓋体１１の取付後には、立て管用接続口部７の開口７ａが、鋼板製の本体部１２によって塞がれることから、重量のある異物が落下してきても、本体部１２が破損せず、立て管用接続口部７の開口７ａ内への異物の侵入を防止することができる。
【００１９】
そして、コンクリートスラブ１の貫通孔２に充填させた充填材３の硬化後に、上層階へ伸びる立て管４Ｕを接続させるために、立て管用接続口部７の開口７ａを開ける場合には、専用治具２２を使用し、締め付け操作時に回した締込用係止突起１７の操作嵌合部２０に嵌合部２３を嵌めて、その係止突起１７を逆方向に回せば、各係止突起１７の先端１７ａを接続口部７の外周面７ｂから離すことができて、容易に、蓋体１１を立て管用接続口部７から取り外すことができ、その後、立て管用接続口部７に対して、排水用立て管４Ｕを接続させればよい。
【００２０】
なお、蓋体１１の接続口部７への取り付けは、充填材３を硬化させるための養生中ばかりでなく、排水管継手５を敷設してから接続口部７に立て管４Ｕを接続させるまでの間の、休日等の作業中断時等にも、行なってもよく、そのような場合でも、異物の開口７ａからの侵入を、防止することができる。
【００２１】
したがって、実施形態の管継手用蓋体１１では、養生中等において、重量のある異物が落下してきても継手５内に侵入させること無く、立て管用接続口部７の開口７ａを塞ぐことができ、そして、締込用係止突起１７を緩めれば、容易に接続口部７から取り外すことができる。
【００２２】
また、実施形態では、管継手用蓋体１１の係止突起１６・１６が、本体部１２の点対称的な位置の二箇所に、配設されている。そのため、二箇所の係止突起１６がともに締込用係止突起１７としていても、数が少ないことから、締込用の回動操作を容易に行なうことができる。
【００２３】
なお、二箇所の係止突起１６がともに締込用係止突起１７であっても、一方の締込用係止突起１７の回動操作により、蓋体１１の取り付けと取り外しを行なうことができることから、蓋体１１の取付・取外作業が煩雑となることはない。逆に、二箇所の係止突起１６が、ともに、締込用係止突起１７であれば、どちらか任意の一方の回動操作を選択できることとなって、管継手５の周囲に、邪魔な配置物があっても、自由に回動操作できる締込用係止突起１７の操作によって、容易に対処可能となる。
【００２４】
勿論、上記の点を考慮しなければ、図４に示す管継手用蓋体１１Ａのように、二箇所の係止突起１６のうち、一方を、耳部１３に固定させて先端２１ａを接続口部７の外周面７ｂに当接可能としたピン２１としてもよく、さらに、各係止突起１６の先端を接続口部７の外周面７ｂに当接可能であれば、係止突起１６の数は、３個以上としても良く、それらの内の少なくとも一本を、締込用係止突起１７として構成すればよい。
【００２５】
なお、係止突起１６を係止させる接続口部７の突起部７ｃは、図４に示す排水管継手５Ａのように、外周面７ｂで、部分的に突出していなくとも、全周にわたるように、突設されていてもよい。
【００２６】
さらに、実施形態では、締込用係止突起１７の元部側に、取付時と取外時との締込用係止突起１７の回動操作を行なう際の専用治具２２を嵌める操作嵌合部２０が配設され、操作嵌合部２０と専用治具２２の嵌合部２３との相互の嵌合形状を、相互に対応する形状のみを嵌合させて締込用係止突起１７を回動操作可能な形状として、構成している。そのため、蓋体１１の取付後において、所定の専用治具２２を使用しないと、蓋体１１を取り外せず、立て管用接続口部７の開口７ａ内への悪戯等による異物の投入を、的確に防止できる。
【図面の簡単な説明】
【００２７】
【図１】本発明の一実施形態における管継手用蓋体の使用状態を示す正面図である。
【図２】実施形態の管継手用蓋体の使用状態を示す平面図である。
【図３】実施形態の管継手用蓋体に使用する締込用係止突起と、その締込用係止突起の回動操作時に使用する専用治具と、を示す斜視図である。
【図４】他の実施形態の管継手用蓋体の使用状態を示す正面図である。
【符号の説明】
【００２８】
４・４Ｕ…排水用立て管、
５・５Ａ…排水管継手、
７…立て管用接続口部、
７ａ…開口、
７ｂ…外周面、
７ｃ…突起部、
１１・１１Ａ…管継手用蓋体、
１２…本体部、
１３…耳部、
１４…ナット部、
１６…係止突起、
１７…締込用係止突起、
１８…雄ねじ部、
２０…操作嵌合部、
２２…専用治具、
２３…頭部・嵌合部。
【図１】
2005155009.tif 000003
【図２】
2005155009.tif 000004
【図３】
2005155009.tif 000005
【図４】
2005155009.tif 000006